(57)【要約】【課題】コギングトルク及びトルクリップルを低減することができ、且つ磁気特性の優れた焼結磁石を容易に配設することができる埋込磁石型モータを提供する。【解決手段】埋込磁石型モータは、複数のティースを有するステータと、軸方向に貫通しＶ字永久磁石が配設されるＶ字収容孔１１ａ，１１ｂが形成されたロータコア１１を有するロータとを備える。ティース数は、２×外部電源の相数ｎ×Ｖ字永久磁石の磁極数Ｐに設定される。ロータコア１１は、Ｖ字収容孔１１ａ，１１ｂに対応した積層前Ｖ字収容孔２１ｂ，２１ｃ〜２４ｂ，２４ｃを有する第１〜第４のコアブロック２１〜２４からなる。各積層前Ｖ字収容孔２１ｂ，２１ｃ〜２４ｂ，２４ｃは、各コアブロック毎に軸方向に対する傾斜角度が徐々に大きくなるように設定される。Ｖ字永久磁石は、各積層前Ｖ字収容孔２１ｂ，２１ｃ〜２４ｂ，２４ｃにそれぞれ配設される分割磁石とされる。【選択図】      図３
2006254598.tif 000002
【特許請求の範囲】
【請求項１】
略円筒状に形成され、周方向等角度間隔で軸中心に向かって延びるように形成された複数のティースに巻線が巻回されたステータと、
軸方向に貫通する収容孔が周方向に複数形成されることで周方向に隣り合う前記収容孔の間に径方向に延びる磁路形成部が形成されたロータコアを有し、各前記収容孔にそれぞれ磁石がその磁極が交互になるように配設され、前記ステータの内側に回転可能に収容されるロータと
を備えた埋込磁石型モータであって、
前記ティースのティース数は、前記巻線が接続される外部電源の相数をｎとし、前記磁石の磁極数をＰとして、「２×ｎ×Ｐ」に設定され、
前記ロータコアは、前記収容孔に対応して軸方向に貫通する積層前収容孔を有する複数のコアブロックが軸方向に積層されてなり、その少なくとも１つのコアブロックにおける前記積層前収容孔が他のコアブロックにおける前記積層前収容孔に対して傾斜し、
前記磁石は、各前記積層前収容孔にそれぞれ配設される分割磁石としたことを特徴とする埋込磁石型モータ。
【請求項２】
請求項１に記載の埋込磁石型モータにおいて、
前記複数のコアブロックにおける各前記積層前収容孔は、前記ロータコアの軸方向一端側から他端側に向かうほど軸方向に対する傾斜角度が徐々に大きくなるように設定されたことを特徴とする埋込磁石型モータ。
【請求項３】
請求項１又は２に記載の埋込磁石型モータにおいて、
前記磁石は、径方向内側に凸の略Ｖ字形状に配置されるＶ字永久磁石であって、
前記収容孔の径方向外側端部には、その一部から径方向外側に延びる外側延設部が連続して形成され、前記収容孔の径方向外側両端部に形成される一対の前記外側延設部は、前記径方向外側両端部における互いに周方向に離間する位置に配置されたことを特徴とする埋込磁石型モータ。
【請求項４】
請求項１乃至３のいずれか１項に記載の埋込磁石型モータにおいて、
前記磁石は、径方向内側に凸の略Ｖ字形状に配置されるＶ字永久磁石であって、
周方向に隣り合う前記Ｖ字永久磁石のＶ字をなす内側の角度が異なるように設定されて、周方向に隣り合う前記磁路形成部におけるそれぞれの周方向中心と、前記ティースの周方向中心とが同時にそれぞれ径方向に直線状態とならないように設定されたことを特徴とする埋込磁石型モータ。
【請求項５】
請求項１乃至４のいずれか１項に記載の埋込磁石型モータにおいて、
前記ロータコアは、略円筒状に形成され、前記収容孔を除く部位の磁気抵抗が一定とされたことを特徴とする埋込磁石型モータ。
【発明の詳細な説明】
【技術分野】
【０００１】
本発明は、埋込磁石型モータに関するものである。
【背景技術】
【０００２】
高効率モータとしては、埋込磁石型モータがある。埋込磁石型モータは、ロータコア内に複数のマグネット（磁石）が埋設されたロータを有するモータであり、複数のティースを有するステータが作り出す回転磁界とロータとの間のマグネットトルクに加え、ロータに形成される回転磁界の磁路（磁路形成部）に基づくリラクタンストルクを有効に利用することにより高いモータ効率を得ることができる。
【０００３】
そして、このような埋込磁石型モータとしては、ロータコアに形成される収容孔をスキューさせ（軸方向一端から他端に向かうに連れて周方向に回転させ）、その収容孔に樹脂磁石を射出成形したものがある（例えば、特許文献１参照）。このような埋込磁石型モータでは、磁石の周方向の磁極中心が軸方向に沿って変化される（周方向にずれる）ため、コギングトルク及びトルクリップルが低減される。又、磁石が、射出成形される樹脂磁石であるため、複雑な形状となる収容孔に容易に配設することができる。言い換えると、焼結磁石を複雑な形状となる収容孔に配設しようとすると、その収容孔に応じた磁石の成形（加工）が困難となったり、収容孔内への挿入（組み付け）作業が困難となる虞があるが、そういったことが回避できる。
【特許文献１】特開２００４−００７９６０号公報
【発明の開示】
【発明が解決しようとする課題】
【０００４】
しかしながら、上記のような埋込磁石型モータでは、磁石が、射出成形される樹脂磁石であるため、焼結磁石と比べて、磁気特性が劣るという問題がある。このことは、モータの小型化や高効率化を阻害する原因となる。
【０００５】
本発明は、上記問題点を解決するためになされたものであって、その目的は、コギングトルク及びトルクリップルを低減することができ、且つ磁気特性の優れた焼結磁石を容易に配設することができる埋込磁石型モータを提供することにある。
【課題を解決するための手段】
【０００６】
請求項１に記載の発明では、略円筒状に形成され、周方向等角度間隔で軸中心に向かって延びるように形成された複数のティースに巻線が巻回されたステータと、軸方向に貫通する収容孔が周方向に複数形成されることで周方向に隣り合う前記収容孔の間に径方向に延びる磁路形成部が形成されたロータコアを有し、各前記収容孔にそれぞれ磁石がその磁極が交互になるように配設され、前記ステータの内側に回転可能に収容されるロータとを備えた埋込磁石型モータであって、前記ティースのティース数は、前記巻線が接続される外部電源の相数をｎとし、前記磁石の磁極数をＰとして、「２×ｎ×Ｐ」に設定され、前記ロータコアは、前記収容孔に対応して軸方向に貫通する積層前収容孔を有する複数のコアブロックが軸方向に積層されてなり、その少なくとも１つのコアブロックにおける前記積層前収容孔が他のコアブロックにおける前記積層前収容孔に対して傾斜し、前記磁石は、各前記積層前収容孔にそれぞれ配設される分割磁石とした。
【０００７】
請求項２に記載の発明では、請求項１に記載の埋込磁石型モータにおいて、前記複数のコアブロックにおける各前記積層前収容孔は、前記ロータコアの軸方向一端側から他端側に向かうほど軸方向に対する傾斜角度が徐々に大きくなるように設定された。
【０００８】
請求項３に記載の発明では、請求項１又は２に記載の埋込磁石型モータにおいて、前記磁石は、径方向内側に凸の略Ｖ字形状に配置されるＶ字永久磁石であって、前記収容孔の径方向外側端部には、その一部から径方向外側に延びる外側延設部が連続して形成され、前記収容孔の径方向外側両端部に形成される一対の前記外側延設部は、前記径方向外側両端部における互いに周方向に離間する位置に配置された。
【０００９】
請求項４に記載の発明では、請求項１乃至３のいずれか１項に記載の埋込磁石型モータにおいて、前記磁石は、径方向内側に凸の略Ｖ字形状に配置されるＶ字永久磁石であって、周方向に隣り合う前記Ｖ字永久磁石のＶ字をなす内側の角度が異なるように設定されて、周方向に隣り合う前記磁路形成部におけるそれぞれの周方向中心と、前記ティースの周方向中心とが同時にそれぞれ径方向に直線状態とならないように設定された。
【００１０】
請求項５に記載の発明では、請求項１乃至４のいずれか１項に記載の埋込磁石型モータにおいて、前記ロータコアは、略円筒状に形成され、前記収容孔を除く部位の磁気抵抗が一定とされた。
【００１１】
（作用）
請求項１に記載の発明によれば、ティースのティース数は、巻線が接続される外部電源の相数をｎとし、磁石の磁極数をＰとして、基本のティース数となる「ｎ×Ｐ」の２倍の「２×ｎ×Ｐ」に設定されるため、コギングトルク及びトルクリップルを低減することができる。又、ロータコアは、収容孔に対応して軸方向に貫通する積層前収容孔を有する複数のコアブロックが軸方向に積層されてなり、磁石は各積層前収容孔にそれぞれ配設される分割磁石とされるため、ロータコアの軸方向一端から他端まで一体成形される磁石に比べて、（短いので）磁石の成形及び組み付け（積層前収容孔への挿入）が容易となる。即ち、磁気特性の優れた焼結磁石を、複雑な形状となる収容孔に容易に配設することができる。更に、複数のコアブロックの内の少なくとも１つのコアブロックにおける積層前収容孔が他のコアブロックにおける積層前収容孔に対して傾斜される構成であることから、磁石の周方向の磁極中心を軸方向に沿って異なる割合で変化させることができ、コギングトルク及びトルクリップルを更に低減することができる。
【００１２】
請求項２に記載の発明によれば、複数のコアブロックにおける各積層前収容孔は、ロータコアの軸方向一端側から他端側に向かうほど軸方向に対する傾斜角度が徐々に大きくなるように設定されるため、収容孔及び磁石はロータコアの軸方向一端側から他端側に向かうほど軸方向に対する傾斜角度がコアブロック毎に徐々に大きくなるように配設される。よって、高トルクを維持しながら、コギングトルク及びトルクリップルを低減することができる。
【００１３】
請求項３に記載の発明によれば、収容孔の径方向外側端部には、その一部から径方向外側に延びる外側延設部が連続して形成されるため、ロータコアの外周近くまで非磁性部分が形成されることになり、漏れ磁束（磁石のＮ極から直ぐに自身のＳ極に向かう磁束）を小さくすることができる。しかも、収容孔の径方向外側両端部に形成される一対の外側延設部は、径方向外側両端部における互いに周方向に離間する位置に配置されるため、ロータコアにおいて外側延設部を含む収容孔に略囲まれる部分の周方向両端の磁路が周方向に段階的に小さくなる。よって、ロータ回転時のロータとステータとの間の磁束の授受が滑らかとなり、コギングトルク及びトルクリップルを更に低減することができる。
【００１４】
請求項４に記載の発明によれば、周方向に隣り合う磁路形成部におけるそれぞれの周方向中心と、前記ティースの周方向中心とが同時にそれぞれ径方向に直線状態とならないように設定されるため、隣り合う磁路形成部で同時に同一の磁束分布になることが防止される。よって、コギングトルク及びトルクリップルを更に低減することができる。
【００１５】
請求項５に記載の発明によれば、ロータコアは、略円筒状に形成され、前記収容孔を除く部位の磁気抵抗が一定とされ、収容孔を除く部位で磁気抵抗の大きい部分（例えば、各コアブロックを貫通する固定ピン用の孔）がないため、そのことに基づくトルクの低下が防止される。
【発明の効果】
【００１６】
以上詳述したように、本発明によれば、コギングトルク及びトルクリップルを低減することができ、且つ磁気特性の優れた焼結磁石を容易に配設することができる埋込磁石型モータを提供することができる。
【発明を実施するための最良の形態】
【００１７】
以下、本発明を具体化した一実施の形態を図１〜図３に従って説明する。図１に示すように、埋込磁石型モータは、ハウジング１とステータ２とロータ３とを備える。
ハウジング１は、略有底筒状のケース４と、ケース４の開口部（図１中、下端部）を閉塞するための蓋部５とを備える。そして、ステータ２はケース４の内周面に固定され、ロータ３はその回転軸６がケース４及び蓋部５に設けられた軸受４ａ，５ａに支持されることでステータ２の内側に回転可能に収容される。
【００１８】
ステータ２は、略円筒状に形成され、周方向等角度間隔で軸中心に向かって延びるように形成された複数のティース７（図２参照）を有したステータコア８と、ティース７にインシュレータ９（図１参照）を介して巻回された巻線１０とを備える。尚、本実施の形態では、ティース７は、６０個形成されている（即ちティース数が６０に設定されている）。又、図２においては、インシュレータ９及び巻線１０の図示を省略している。又、巻線１０はティース７に分布巻にて巻回され、その巻線１０には３相（相数ｎが３）の図示しない外部電源が接続され位相差１２０度の３相交流電流が供給されることになる。
【００１９】
ロータ３は、図１に示すように、前記回転軸６と、ロータコア１１と、磁石としての複数のＶ字永久磁石１２，１３（図２参照）とを備える。尚、本実施の形態では、Ｖ字永久磁石１２，１３が１０個設けられている（即ち、磁極数Ｐが１０に設定されている）。そして、本実施の形態では、前記ティース７のティース数は、基本のティース数となる「ｎ（３）×Ｐ（１０）＝」３０に対して、その２倍となるように「２×ｎ（３）×Ｐ（１０）＝」６０に設定されている。
【００２０】
ロータコア１１は、図３に示すように、複数（本実施の形態では４つ）の第１〜第４のコアブロック２１〜２４が軸方向に積層されてなる。又、第１〜第４のコアブロック２１〜２４は、それぞれ複数の円盤状のコアシートが積層されて形成されている。本実施の形態の第１〜第４のコアブロック２１〜２４は、その軸方向長さ（厚さ）が一定に設定されている。尚、図１及び図３においては、複数のコアシートの境界線の図示を省略している。又、第１〜第４のコアブロック２１〜２４の軸中心には回転軸６が圧入される中心孔２１ａ〜２４ａ（図１参照）がそれぞれ形成されている。
【００２１】
又、第１〜第４のコアブロック２１〜２４には、軸方向に貫通し、一対で径方向内側に凸の略Ｖ字形状をなす積層前収容孔としての積層前Ｖ字収容孔２１ｂ，２１ｃ〜２４ｂ，２４ｃ（図３参照）が、それぞれ周方向に１０対並んで形成されている。そして、第１〜第４のコアブロック２１〜２４における各積層前Ｖ字収容孔２１ｂ，２１ｃ〜２４ｂ，２４ｃは、ロータコア１１の軸方向一端側（図１及び図３中、上側）から他端側に向かうほど軸方向に対する傾斜角度が（第１〜第４のコアブロック２１〜２４毎に）徐々に大きくなるように設定されている。詳しくは、第１のコアブロック２１の積層前Ｖ字収容孔２１ｂ，２１ｃは、同一（品番が同じ）の前記コアシートが極微小に周方向にずらされながら積層されることで、軸方向に対して極微小に傾斜している。又、第２のコアブロック２２の積層前Ｖ字収容孔２２ｂ，２２ｃは、同一（品番が同じ）の前記コアシートが微小（第１のコアブロック２１のそれ以上）に周方向にずらされながら積層されることで、軸方向に対して微小に傾斜している。又、第３のコアブロック２３の積層前Ｖ字収容孔２３ｂ，２３ｃは、同一（品番が同じ）の前記コアシートが小さく（第２のコアブロック２２のそれ以上）に周方向にずらされながら積層されることで、軸方向に対して小さく傾斜している。又、第４のコアブロック２４の積層前Ｖ字収容孔２４ｂ，２４ｃは、同一（品番が同じ）の前記コアシートが（第３のコアブロック２３以上）に周方向にずらされながら積層されることで、軸方向に対して傾斜している。尚、本実施の形態では、第１〜第４のコアブロック２１〜２４が積層されることで軸方向に連続して配置される積層前Ｖ字収容孔２１ｂ，２１ｃ〜２４ｂ，２４ｃがロータコア１１の収容孔としてのＶ字収容孔１１ａ，１１ｂ（図２参照）を構成している。そして、ロータコア１１には、隣り合うＶ字収容孔１１ａ，１１ｂの間に径方向に延びる磁路形成部３１，３２が形成される。
【００２２】
又、本実施の形態のロータコア１１では、周方向に隣り合うＶ字収容孔１１ａ，１１ｂのＶ字をなす内側の角度θ１，θ２（図２参照）が異なるように設定されて、周方向に隣り合う磁路形成部３１，３２におけるそれぞれの周方向中心と、ティース７の周方向中心とが同時にそれぞれ径方向に直線状態とならないように設定されている。
【００２３】
又、ロータコア１１（第１〜第４のコアブロック２１〜２４）において、Ｖ字収容孔１１ａ，１１ｂ（積層前Ｖ字収容孔２１ｂ，２１ｃ〜２４ｂ，２４ｃ）の径方向外側端部には、その一部から径方向外側に延びる外側延設部４１が連続して（孔の一部として）形成されている。又、Ｖ字収容孔１１ａ，１１ｂの径方向外側両端部に形成される一対の外側延設部４１は、径方向外側両端部における互いに周方向に離間する位置に配置されている。又、ロータコア１１（第１〜第４のコアブロック２１〜２４）において、Ｖ字収容孔１１ａ，１１ｂ（積層前Ｖ字収容孔２１ｂ，２１ｃ〜２４ｂ，２４ｃ）の径方向内側端部（略Ｖ字形状をなす一対の孔のそれぞれの径方向内側端部）には、その一部から径方向内側に延びる内側延設部４２が連続して（孔の一部として）形成されている。そして、上記のように形成されるロータコア１１は、その全体が略円筒状に形成され、Ｖ字収容孔１１ａ，１１ｂ（外側延設部４１及び内側延設部４２を含む）を除く部位の磁気抵抗が一定とされている。言い換えると、本実施の形態のロータコア１１は、Ｖ字収容孔１１ａ，１１ｂ（外側延設部４１及び内側延設部４２を含む）を除く部位で磁気抵抗が大きい部分（例えば第１〜第４のコアブロック２１〜２４を貫通する固定ピン用の孔等）がないように形成されている。
【００２４】
そして、Ｖ字収容孔１１ａ，１１ｂ（外側延設部４１及び内側延設部４２を除く）には、一対で径方向内側に凸の略Ｖ字形状に配置されるＶ字永久磁石１２，１３が収容保持されている。このＶ字永久磁石１２，１３は、その磁極（Ｎ極とＳ極）が周方向に交互になるように配設され、例えばＶ字永久磁石１２は径方向外側（Ｖ字をなす形状において内側）がＮ極、Ｖ字永久磁石１３は径方向内側（Ｖ字をなす形状において外側）がＳ極に設定される。本実施の形態では、Ｖ字永久磁石１２，１３は、各積層前Ｖ字収容孔２１ｂ，２１ｃ〜２４ｂ，２４ｃにそれぞれ配設される分割磁石５１ａ，５１ｂ〜５４ａ，５４ｂ（図１参照）からなる。この分割磁石５１ａ，５１ｂ〜５４ａ，５４ｂは、それぞれ略４角柱状に形成され、積層前Ｖ字収容孔２１ｂ，２１ｃ〜２４ｂ，２４ｃの略Ｖ字形状をなす一対の孔にそれぞれ略隙間無く収容されように設定されている。尚、本実施の形態の分割磁石５１ａ，５１ｂ〜５４ａ，５４ｂは、前述したように傾斜した積層前Ｖ字収容孔２１ｂ，２１ｃ〜２４ｂ，２４ｃに応じてそれぞれ形成され、収容された状態でその軸方向端面が第１〜第４のコアブロック２１〜２４の各端面と同一平面上に配置されるように（所謂、面一となるように）形成されている。尚、このように配設されるＶ字永久磁石１２，１３は、前述した周方向に隣り合うＶ字収容孔１１ａ，１１ｂと同様に、周方向に隣り合うＶ字永久磁石１２，１３のＶ字をなす内側の角度θ１，θ２（図２参照）が異なるように設定されることになる。又、このように配設されるＶ字永久磁石１２，１３は、前述したＶ字収容孔１１ａ，１１ｂ（積層前Ｖ字収容孔２１ｂ，２１ｃ〜２４ｂ，２４ｃ）と同様に、ロータコア１１の軸方向一端側（図１及び図３中、上端側）から他端側に向かうほど軸方向に対する傾斜角度が第１〜第４のコアブロック２１〜２４毎に徐々に大きくなるように配設される。又、本実施の形態のＶ字永久磁石１２，１３（各分割磁石５１ａ，５１ｂ〜５４ａ，５４ｂ）は、軸方向から見た幅（図２中、略径方向に延びる方向と直交する方向の幅）が、軸方向から見た長さ（図２中、略径方向に延びる方向の長さ）の略１７％に設定されている。
【００２５】
次に、上記実施の形態の特徴的な作用効果を以下に記載する。
（１）ティース７のティース数は、基本のティース数となる「外部電源の相数ｎ（３）×磁極数Ｐ（１０）＝」３０に対して、その２倍となるように「２×外部電源の相数ｎ（３）×磁極数Ｐ（１０）＝」６０に設定されるため、基本のティース数のものに比べて、コギングトルク及びトルクリップルを低減することができる。
【００２６】
（２）第１〜第４のコアブロック２１〜２４における各積層前Ｖ字収容孔２１ｂ，２１ｃ〜２４ｂ，２４ｃは、ロータコア１１の軸方向一端側（図１及び図３中、上側）から他端側に向かうほど軸方向に対する傾斜角度が（第１〜第４のコアブロック２１〜２４毎に）徐々に大きくなるように設定される。よって、Ｖ字収容孔１１ａ，１１ｂ及びＶ字永久磁石１２，１３はロータコア１１の軸方向一端側から他端側に向かうほど軸方向に対する傾斜角度が第１〜第４のコアブロック２１〜２４毎に徐々に大きくなるように配設される。よって、高トルクを維持しながら、コギングトルク及びトルクリップルを更に低減することができる。
【００２７】
（３）ロータコア１１は、Ｖ字収容孔１１ａ，１１ｂに対応して軸方向に貫通する積層前Ｖ字収容孔２１ｂ，２１ｃ〜２４ｂ，２４ｃを有する第１〜第４のコアブロック２１〜２４が軸方向に積層されてなる。そして、Ｖ字永久磁石１２，１３は各積層前Ｖ字収容孔２１ｂ，２１ｃ〜２４ｂ，２４ｃにそれぞれ配設される分割磁石５１ａ，５１ｂ〜５４ａ，５４ｂとされるため、ロータコア１１の軸方向一端から他端まで一体成形される磁石に比べて、磁石の成形及び組み付け（積層前収容孔への挿入）が容易となる。即ち、磁気特性の優れた焼結磁石を、複雑な形状となる（本実施の形態では軸方向に対する傾斜角度が第１〜第４のコアブロック２１〜２４毎に徐々に大きくなる）Ｖ字収容孔１１ａ，１１ｂに容易に配設することができる。その結果、従来の射出成形される樹脂磁石に比べて、小型化や高効率化を容易に図ることができる。
【００２８】
（４）Ｖ字収容孔１１ａ，１１ｂの径方向外側端部には、その一部から径方向外側に延びる外側延設部４１が連続して（孔の一部として）形成されるため、ロータコアの外周近くまで非磁性部分が形成されることになり、漏れ磁束（磁石のＮ極から直ぐに自身のＳ極に向かう磁束）を小さくすることができる。よって、高効率化を図ることができる。しかも、Ｖ字収容孔１１ａ，１１ｂの径方向外側両端部に形成される一対の外側延設部４１は、径方向外側両端部における互いに周方向に離間する位置に配置されるため、ロータコア１１において外側延設部４１を含むＶ字収容孔１１ａ，１１ｂに略囲まれる部分の周方向両端の磁路が周方向に段階的に小さくなる。よって、ロータ３の回転時のロータ３とステータ２との間の磁束の授受が滑らかとなり、コギングトルク及びトルクリップルを更に低減することができる。
【００２９】
（５）周方向に隣り合うＶ字収容孔１１ａ，１１ｂ及びＶ字永久磁石１２，１３のＶ字をなす内側の角度θ１，θ２（図２参照）が異なるように設定されて、周方向に隣り合う磁路形成部３１，３２におけるそれぞれの周方向中心と、ティース７の周方向中心とが同時にそれぞれ径方向に直線状態とならないように設定される。よって、隣り合う磁路形成部３１，３２で同時に同一の磁束分布になることが防止される。よって、コギングトルク及びトルクリップルを更に低減することができる。
【００３０】
（６）ロータコア１１は、略円筒状に形成され、Ｖ字収容孔１１ａ，１１ｂ（外側延設部４１及び内側延設部４２を含む）を除く部位の磁気抵抗が一定とされている。言い換えると、ロータコア１１は、Ｖ字収容孔１１ａ，１１ｂ（外側延設部４１及び内側延設部４２を含む）を除く部位で磁気抵抗が大きい部分（例えば第１〜第４のコアブロック２１〜２４を貫通する固定ピン用の孔等）がないように形成されている。よって、トルクの低下が防止される。
【００３１】
上記実施の形態は、以下のように変更してもよい。
・上記実施の形態では、第１〜第４のコアブロック２１〜２４における各積層前Ｖ字収容孔２１ｂ，２１ｃ〜２４ｂ，２４ｃは、ロータコア１１の軸方向一端側から他端側に向かうほど軸方向に対する傾斜角度が（第１〜第４のコアブロック２１〜２４毎に）徐々に大きくなるように設定されるとしたが、これに限定されない。詳しくは、複数のコアブロックの少なくとも１つのコアブロックにおける積層前Ｖ字収容孔（積層前収容孔）が他のコアブロックにおける積層前Ｖ字収容孔（積層前収容孔）に対して傾斜していれば、変更してもよい。例えば、第１〜第３のコアブロック２１〜２３における各積層前Ｖ字収容孔が軸方向と平行に形成され、第４のコアブロック２４における積層前Ｖ字収容孔のみが軸方向に対して傾斜しているように変更してもよい。尚、勿論上記したコアブロックの数や各コアブロックの軸方向長さの割合を変更してもよい。
【００３２】
・上記実施の形態では、収容孔及び磁石を径方向内側に凸の略Ｖ字形状をなすＶ字収容孔１１ａ，１１ｂ及びＶ字永久磁石１２，１３としたが、これに限定されず、例えば、周方向に略沿った軸方向から見て直線状の収容孔及び磁石とする等、他の形状のものに変更してもよい。
【００３３】
・上記実施の形態では、Ｖ字収容孔１１ａ，１１ｂの径方向外側端部には、その一部から径方向外側に延びる外側延設部４１が形成されるとしたが、これに限定されず、外側延設部４１が形成されない構成に変更してもよいし、外側延設部４１の形状や位置を変更してもよい。又、内側延設部４２においても、形成されない構成に変更してもよいし、形状や位置を変更してもよい。
【００３４】
・上記実施の形態では、周方向に隣り合うＶ字収容孔１１ａ，１１ｂ及びＶ字永久磁石１２，１３のＶ字をなす内側の角度θ１，θ２（図２参照）が異なるように設定されるとしたが、これに限定されず、前記角度θ１，θ２が同じとなるように変更してもよい。
【００３５】
・上記実施の形態では、ロータコア１１は、Ｖ字収容孔１１ａ，１１ｂ（外側延設部４１及び内側延設部４２を含む）を除く部位の磁気抵抗が一定とされるとしたが、これに限定されず、例えば第１〜第４のコアブロック２１〜２４を貫通する固定ピン用の孔等が形成されたものに変更してもよい。
【００３６】
・上記実施の形態では、外部電源の相数ｎが３で磁極数Ｐが１０で基本ティース数（ｎ×Ｐ）が３０の埋込磁石型モータであって、ティース数が６０のものとしたが、ティース数が「２×相数ｎ×磁極数Ｐ」を満たすように設定されていれば、各数を変更して実施してもよい。
【００３７】
・上記実施の形態では、第１〜第４のコアブロック２１〜２４は、それぞれ複数の円盤状のコアシートが積層されて形成されるとしたが、同様の形状であればよく、例えば、磁性粉体を焼結して形成してもよい。
【００３８】
・上記実施の形態では、分割磁石５１ａ，５１ｂ〜５４ａ，５４ｂは、傾斜した積層前Ｖ字収容孔２１ｂ，２１ｃ〜２４ｂ，２４ｃに応じてそれぞれ形成され、収容された状態でその軸方向端面が第１〜第４のコアブロック２１〜２４の各端面と同一平面上に配置されるように（所謂、面一となるように）形成されるとしたが、これに限定されない。例えば、分割磁石５１ａ，５１ｂ〜５４ａ，５４ｂを各辺が直角な４角柱状のものに変更してもよく、更に各分割磁石５１ａ，５１ｂ〜５４ａ，５４ｂを全て同じ形状のものに変更してもよい。このようにすると、積層前Ｖ字収容孔２１ｂ，２１ｃ〜２４ｂ，２４ｃの傾斜角度に応じて分割磁石間に僅かな隙間が生じることになるが、分割磁石の形状が単純となり、その製造が容易となる（複雑な切削加工等が不要となる）。
【図面の簡単な説明】
【００３９】
【図１】本実施の形態における埋込磁石型モータの側断面図。
【図２】本実施の形態におけるステータ及びロータの平面図。
【図３】本実施の形態におけるロータコアの斜視図。
【符号の説明】
【００４０】
２…ステータ、３…ロータ、７…ティース、１０…巻線、１１…ロータコア、１１ａ，１１ｂ…Ｖ字収容孔（収容孔）、１２，１３…Ｖ字永久磁石（磁石）、２１〜２４…第１〜第４のコアブロック（コアブロック）、２１ｂ，２１ｃ〜２４ｂ，２４ｃ…積層前Ｖ字収容孔（積層前収容孔）、３１，３２…磁路形成部、４１…外側延設部、５１ａ，５１ｂ〜５４ａ，５４ｂ…分割磁石、θ１，θ２…角度。
【図１】
2006254598.tif 000003
【図２】
2006254598.tif 000004
【図３】
2006254598.tif 000005